(57)【要約】【課題】  表示パネル及びその切断方法を提供することを課題とする。【解決手段】  本発明は、表示パネル、及び、その切断方法に関し、表示パネルは、少なくとも１個の第１側辺と第１周縁部と第１側辺及び第１周縁部を連結し円弧状を呈する曲がり縁部とを備える第１基板と、第１基板と対向して設けられ、第１周縁部の一部と重なる少なくとも１個の第２周縁部を備え、第１基板の曲がり縁部箇所において曲がり縁部から突出する第２基板と、を含む。ここでは、第１側辺の延伸線は第２周縁部と交点を形成し、且つ交点と曲がり縁部間の最小距離は０．１ｍｍ〜２．１ｍｍとする。【選択図】  図2
2015215598.tif 000002
【特許請求の範囲】
【請求項１】
少なくとも１個の第１側辺と第１周縁部と前記第１側辺及び前記第１周縁部を連結し円弧状を呈する曲がり縁部とを備える第１基板と、
前記第１基板と対向して設けられ、前記第１周縁部の一部と重なる少なくとも１個の第２周縁部を備え、前記曲がり縁部箇所において前記曲がり縁部から突出する第２基板と、を含み、
ここでは、前記第１側辺の延伸線は前記第２周縁部と交点を形成し、且つ、前記交点と前記曲がり縁部間の最小距離は０．１ｍｍ〜２．１ｍｍとすることを特徴とする表示パネル。
【請求項２】
前記交点と前記曲がり縁部間の最小距離は、０．１ｍｍ〜１．３ｍｍとすることを特徴とする請求項１に記載の表示パネル。
【請求項３】
前記交点と前記曲がり縁部間の最小距離は、０．１ｍｍ〜０．３ｍｍとすることを特徴とする請求項２に記載の表示パネル。
【請求項４】
前記曲がり縁部の曲率半径は、２．５ｍｍ〜１０ｍｍとすることを特徴とする請求項１に記載の表示パネル。
【請求項５】
少なくとも１個の第１側辺と第１周縁部と前記第１側辺及び前記第１周縁部を連結し円弧状を呈する曲がり縁部とを備える第１基板と、
前記第１基板と対向して設けられ、前記第１周縁部の一部と重なる少なくとも１個の第２周縁部を備え、前記曲がり縁部箇所において前記曲がり縁部から突出する第２基板と、を含み
ここでは、前記曲がり縁部の曲率半径は、前記第１周縁部の曲率半径と異なることを特徴とする表示パネル。
【請求項６】
前記曲がり縁部の曲率半径は、２．５ｍｍ〜１０ｍｍとすることを特徴とする請求項５に記載の表示パネル。
【請求項７】
第１母基板及び第２母基板を提供し、且つ、前記第１母基板と前記第２母基板を対向させて設置するステップと、
前記第１母基板、及び、前記第２母基板を各々切断して第１基板、及び、第２基板を各々得るステップと、を含み、
ここでは、前記第１母基板上において第１側辺として切断し、また、第１曲率半径により円弧状の曲がり縁部として切断し、並びに、第１周縁部として切断し、前記曲がり縁部は前記第１側辺と前記第１周縁部の間に位置し、且つ、前記第１周縁部、及び、前記第１側辺と連結し、また、前記曲がり縁部箇所において前記第２基板は前記曲がり縁部から突出し、
前記第２母基板上において前記第１周縁部と一部が重なる第２周縁部として切断し、
前記第１側辺の延伸線は前記第２周縁部と交点を形成し、且つ、前記交点と前記曲がり縁部間の最小距離は０．１ｍｍ〜２．１ｍｍとすることを特徴とする表示パネルの切断方法。
【請求項８】
前記交点と前記曲がり縁部間の最小距離は、０．１ｍｍ〜１．３ｍｍとすることを特徴とする請求項７に記載の切断方法。
【請求項９】
前記交点と前記曲がり縁部間の最小距離は、０．１ｍｍ〜０．３ｍｍとすることを特徴とする請求項８に記載の切断方法。
【請求項１０】
前記第１曲率半径は、２．５ｍｍ〜１０ｍｍとすることを特徴とする請求項７に記載の切断方法。
【発明の詳細な説明】
【技術分野】
【０００１】
本発明は、表示パネル及びその切断方法に関し、特に円弧状に切断させる切断方法及び形成される表示パネルに関する。
【背景技術】
【０００２】
ディスプレイ技術の絶え間ない進歩に伴い、全てのデバイスは軽薄短小化等の傾向に向けて発展してきたため、現在市販されている主流のディスプレイ装置は以前の陰極線管から薄型ディスプレイ装置に発展してきた。例えば液晶ディスプレイ装置及び有機発光ダイオード装置等である。特に、薄型ディスプレイ装置の運用できる分野は非常に多く、例えば日常生活中に使用される腕時計、携帯電話機、ノートパソコン、ビデオカメラ、カメラ、ミュージック  プレーヤー、ポータブルナビ、テレビ等のディスプレイ装置である。
【０００３】
以前よく見られていたディスプレイ装置の多くは、方形構造を備えていた。この数年、美観及びデザインの需要に対応するため、ディスプレイ装置を様々な異なる外形にデザインされ、例えば円形、三角形、菱形等の異形構造がある。しかしながら、どの種類の外形のディスプレイ装置を問わず、いずれも母基板の切断工程を経なければならない。
【０００４】
従来の母基板の切断工程において、大半が矩形切断及び十字クロス切断が使用されている。しかしながら、この切断方法で形成されたディスプレイ装置の基板は往々にしてはみ出し及び鋸歯状等の欠陥が生じて製品外観の欠点或いは切断の歩留まり率低下等の問題が起きていた。
【０００５】
これに鑑み、前記問題を改善して切断の歩留まり率をアップしようとするため、現在表示パネルの切断方法及びこれで製造される表示パネルの発展が急務となっていた。
【発明の概要】
【発明が解決しようとする課題】
【０００６】
本発明は、従来の切断方法によるはみ出し及び鋸歯状の欠陥等といった問題を改善できるため、表示パネル及びその切断方法を提供することを主な目的とする。
【課題を解決するための手段】
【０００７】
上記目的を達成するため、本発明に係る表示パネルの切断方法は、第１母基板及び第２母基板を提供し、且つ第１母基板と第２母基板を対向させて設置するステップと、第１母基板及び第２母基板を各々切断して第１基板及び第２基板を各々得るステップとを含む。ここでは、第１母基板上において第１側辺として切断し、また第１曲率半径により円弧状の曲がり縁部として切断し、並びに第１周縁部として切断する。曲がり縁部は、第１側辺と第１周縁部の間に位置し、且つ第１周縁部及び第１側辺と連結し、また曲がり縁部箇所において第２基板は曲がり縁部から突出する。第２母基板上において第１周縁部と一部が重なる第２周縁部として切断する。第１側辺の延伸線は第２周縁部と交点を形成し、且つ交点と曲がり縁部間の最小距離は０．１ｍｍ〜２．１ｍｍとする。
【０００８】
前記ステップを経て得られることができる本発明の表示パネルは、少なくとも１個の第１側辺と第１周縁部と第１側辺及び第１周縁部を連結し円弧状を呈する曲がり縁部とを備える第１基板と、第１基板と対向して設けられ、第１周縁部の一部と重なる少なくとも１個の第２周縁部を備え、第１基板の曲がり縁部箇所において曲がり縁部から突出する第２基板と、を含む。ここでは、第１側辺の延伸線は第２周縁部と交点を形成し、且つ交点と曲がり縁部間の最小距離は０．１ｍｍ〜２．１ｍｍとする。
【０００９】
このほかに、前記ステップを経て得られることができる本発明のもう一つ表示パネルは、少なくとも１個の第１側辺と第１周縁部と第１側辺及び第１周縁部を連結し円弧状を呈する曲がり縁部とを備える第１基板と、第１基板と対向して設けられ、第１周縁部の一部と重なる少なくとも１個の第２周縁部を備え、第１基板の曲がり縁部箇所において曲がり縁部から突出する第２基板と、を含む。ここでは、曲がり縁部の曲率半径は、第１周縁部の曲率半径と異なる。
【００１０】
本発明の一部の実施態様において、表示パネルは前記交点と曲がり縁部間の最小距離が０．１ｍｍ〜２．１ｍｍとなる特徴及び曲がり縁部の曲率半径が第１周縁部の曲率半径と異なる特徴を同時に備えることができる。
【００１１】
本発明に係る表示パネル及びその切断方法において、第１側辺の延伸線が第２周縁部と形成される交点と曲がり縁部間の最小距離は、０．１ｍｍ〜２．１ｍｍとなり、好ましくは０．１ｍｍ〜１．３ｍｍとなり、且つ好適には０．１ｍｍ〜０．３ｍｍとする。
【００１２】
このほかに、本発明に係る表示パネルの切断方法において、更に第２曲率半径で第２母基板を切断することで円弧状の別の曲がり縁部を形成できる。そこで、第１母基板を切断する第１曲率半径、第２母基板を切断する第２曲率半径、及び円弧状の曲がり縁部の曲率半径は、各々２．５ｍｍ〜１０ｍｍとすることができ、好ましくは各々３ｍｍ〜９ｍｍとし、且つ最適には３ｍｍ〜５ｍｍとする。第１曲率半径及び第２曲率半径は、同一又は異なることができる。
【００１３】
次に、本発明に係る表示パネル及びその切断方法において、得られた第１基板の第１側辺の延伸線と第２基板の第２周縁部との交角は、３０°〜１７０°とすることができる。
【図面の簡単な説明】
【００１４】
【図１】本発明の好ましい実施例に係る表示パネル切断前の断面模式図である。
【図２】本発明の好ましい実施例に係る表示パネル切断後の模式図である。
【図３】本発明の好ましい実施例に係る表示パネルの局部拡大図である。
【図４】本発明の他の好ましい実施例に係る表示パネルを示す模式図である。
【図５】本発明の他の好ましい実施例に係る表示パネルを示す模式図である。
【図６】本発明の他の好ましい実施例に係る表示パネルを示す模式図である。
【図７】本発明の他の好ましい実施例に係る表示パネルを示す模式図である。
【図８】本発明の他の好ましい実施例に係る表示パネルを示す模式図である。
【図９】本発明の他の好ましい実施例に係る表示パネルを示す模式図である。
【発明を実施するための形態】
【００１５】
以下に、特定の具体的実施例を通じて本発明の実施形態を説明し、本発明の属する技術分野の技術者は本明細書で開示される内容から簡単に本発明その他の利点と効果を理解できる。本発明もその他異なる具体的実施例を通じて実施或いは運用でき、本明細書内の各細部も異なる見解と運用について、本発明の要旨を逸脱することなく様々な変更や修正を加えることができる。
【００１６】
図１は、本発明の好ましい実施例に係る表示パネル切断前の断面模式図である。本実施例において、まず第１母基板１１’及び第２母基板１２’を提供し、またシーラント１３で第１母基板１１’及び第２母基板１２’を対向させて接着することで、第１母基板１１’と第２母基板１２’を対向設置させる。ここでは、第１母基板１１’と第２母基板１２’上において本技術分野の既知素子を各々形成できる。例えば、本実施例の表示パネルは液晶表示パネルとする場合、第１母基板１１’と第２母基板１２’のいずれかの上方に薄膜トランジスタユニットを設け、別の上方にカラーフィルタユニット及びブラックマトリクスを設けることができる。或いは第１母基板１１’と第２母基板１２’のいずれかの上方に薄膜トランジスタユニット及びカラーフィルタユニットのカラーフィルター・オン・アレイ（ＣＯＡ）基板を設け、別のがブラックマトリクスを形成した基板を設けることができる。この時、第１母基板１１’と第２母基板１２’とシーラント１３で定義される空間の中に更に液晶分子を充填できる。本実施例の表示パネルは有機発光ダイオード表示パネルとする場合、第１母基板１１’と第２母基板１２’のいずれかの上方に有機発光ユニットを更に設けることができる。そこで、液晶表示パネル或いは有機発光ダイオード表示パネルを問わず、いずれも本技術分野での従来の液晶ディスプレイ装置又は有機発光ダイオード装置に用いる構造を備えることができるため、ここで詳細な説明を省略する。
【００１７】
次に、図１の破線に示す切断線に沿って第１母基板１１’及び第２母基板１２’を切断して第１基板１１及び一第２基板１２を各々得る。図２に示すのは、本実施例の表示パネル切断後の模式図である。
【００１８】
図１及び図２に示すように、第１母基板１１’を切断して第１基板１１を得る時、切断起点Ｓ１から矢印で指す方向通り１回の切断動作にて切断起点Ｓ１に戻るよう切断する。まず、切断起点Ｓ１から曲率半径で第１周縁部１１３として切断し、その後曲がり部１１ａにおいて第１曲率半径で円弧状の曲がり縁部１１２ａ（図２左側の曲がり部１１ａに示す）として切断して角丸面を形成してから直線の第１側辺１１１として切断し、更に第１曲率半径或いはその他の曲率半径で曲がり部１１ｂにおいて円弧状の曲がり縁部１１２ｂ（図２右側の曲がり部１１ｂに示す）として切断して別の角丸面を形成する。最後に最初形成された第１周縁部１１３と同じ曲率半径で切断して切断起点Ｓ１に戻る。本実施例において曲がり縁部１１２ａは、第１側辺１１１の一端と連なり、曲がり縁部１１２ｂが第１側辺１１１の他端と連なる。本実施例において、第１側辺１１１の両端に円弧状の曲がり縁部１１２ａ、１１２ｂ或いは角丸面を各々形成する。ここでは、切断により第１周縁部１１３を形成した曲率半径は円弧状の曲がり縁部１１２ａ、１１２ｂを形成した第１曲率半径と異なる。且つ好ましくは、切断により第１周縁部１１３を形成した曲率半径が円弧状の曲がり縁部１１２ａ、１１２ｂを形成した第１曲率半径より小さい。
【００１９】
このほかに、第２母基板１２’を切断して第２基板１２を得る時も第１母基板１１’の切断と同じ切断起点Ｓ１を選択して矢印で指す方向通り１回の切断動作にて切断することができる。第２曲率半径で第２母基板１２’を切断することで曲がり部１２ａ、１２ｂにおいて曲がり縁部１２２ａ、１２２ｂ或いは角丸面を形成する。且つ第１基板１１の第１周縁部１１３を形成すると同じ曲率半径で第２母基板１２’を切断することで、第２周縁部１２２を形成し、第２周縁部１２２と第１周縁部１１３の一部と重なる。ここでは、第１基板１１の曲がり縁部１１２ａ、１１２ｂ箇所において第２基板１２は曲がり縁部１１２ａ、１１２ｂから突出する。
【００２０】
本実施例において、第１基板１１の円弧状の曲がり縁部１１２ａ、１１２ｂを形成する第１曲率半径と第２基板１２の曲がり縁部１２２ａ、１２２ｂを形成する第２曲率半径は、同一或いは異なることができ、且つ第１曲率半径と第２曲率半径が各々２．５ｍｍ〜１０ｍｍとすることができ、好ましくは各々３ｍｍ〜９ｍｍとし、また好適には各々３ｍｍ〜５ｍｍとする。よって、得られた表示パネルにおいて、第１基板１１の円弧状の曲がり縁部１１２ａ、１１２ｂの曲率半径と第２基板１２の円弧状の曲がり縁部１２２ａ、１２２ｂの曲率半径も同一或いは異なることができ、且つ第１基板１１の円弧状の曲がり縁部１１２ａ、１１２ｂ及び第２基板１２の円弧状の曲がり縁部１２２ａ、１２２ｂの曲率半径は各々２．５ｍｍ〜１０ｍｍとすることができ、好ましくは各々３ｍｍ〜９ｍｍとし、また好適には各々３ｍｍ〜５ｍｍとする。
【００２１】
本実施例において、第１母基板１１’及び第２母基板１２’を切断する切断起点Ｓ１は同じとする。ただし、本発明の他の実施例において第１母基板１１’及び第２母基板１２’を切断する切断起点Ｓ１は異なる、若しくは第１母基板１１’及び第２母基板１２’を切断する切断起点Ｓ１は表示パネルその他の位置にあり、第１母基板１１’及び第２母基板１２’を切断する過程において曲がり部１１ａ、１１ｂ、１２ａ、１２ｂが第１曲率半径及び第２曲率半径で切断するだけでよい。
【００２２】
従来の矩形切断を異形切断に応用する場合、十字クロス切断位置付近にはみ出し及び鋸歯状の欠陥等の問題が起こりやすい。しかし、本実施例において基板切断の曲がり部において第１曲率半径及び第２曲率半径で異形円弧状で切断（Ｒ角或いは角丸の切断）することで、はみ出し及び鋸歯状の欠陥等の問題を減らし、切断の歩留まり率をアップして切断品質を最適化する。
【００２３】
本発明において、「曲がり部」とは隣り合う２つの側辺間の交角が３０°〜１７０°とすることを表す。前記ステップを経ることで、本実施例の表示パネルを得ることができる。図２及び図３に示すように、図３は図２の曲がり部１１ａエリアの拡大図である。本実施例の表示パネルは、少なくとも１個の第１側辺１１１と第１周縁部１１３と第１側辺１１１及び第１周縁部１１３を連結し円弧状を呈する曲がり縁部１１２ａとを備える第１基板１１と、第１基板１１と対向して設けられ、第１周縁部１１３の一部と重なる少なくとも１個の第２周縁部１２２を備え、第１基板１１の曲がり縁部１１２ａ箇所において曲がり縁部１１２ａから突出する第２基板１２と、を含む。ここでは、第１側辺１１１の延伸線（図３の破線で示す）は第２周縁部１２２と交点Ｐを形成し、且つ交点Ｐと曲がり縁部１１２ａ間の最小距離Ｄは０．１ｍｍ〜２．１ｍｍとする（好ましくは０．１ｍｍ〜１．３ｍｍとし、且つ好適には０．１ｍｍ〜０．３ｍｍとする）。このほかに、曲がり縁部１１２ａの曲率半径は、第１周縁部１１３の曲率半径と異なる。更に、本実施例の表示パネルにおいて、第１側辺１１１の延伸線と第２基板１２の第２周縁部１２２との交角θは３０°〜１７０°にできる。
【００２４】
本実施例において、図３に示すように第１基板１１の曲がり部１１ａを例とすると、円弧状の曲がり縁部１１２ａは接触円１１２に対応でき、接触円１１２の半径ｒが円弧状の曲がり縁部１１２ａを形成する曲率半径である。同様に第１基板１１の別の曲がり部１１ｂ及び第２基板の曲がり部１２ａ、１２ｂにも別の接触円に対応でき、その半径が円弧状の曲がり縁部を形成する曲率半径である。
【００２５】
本実施例において第１基板１１の曲がり縁部１１２ａ、１１２ｂを形成する第１曲率半径と第２基板１２の曲がり縁部１２２ａ、１２２ｂを形成する第２曲率半径は、いずれも３ｍｍであるため、得られる第１基板１１の角丸面及び第２基板１２の角丸面の曲率半径がいずれも３ｍｍとし、第１側辺１１１の延伸線と第２周縁部１２２で形成される交点Ｐと曲がり縁部１１２ａ間の最小距離Ｄは０．１〜０．３ｍｍとし、且つ第１側辺１１１の延伸線と第２基板１２の第２周縁部１２２との交角θが１３０°〜１７０°とする。また、第２基板１２上に端子部１５を更に形成する。
【００２６】
第１周縁部１１３及び第２周縁部１２２を形成する曲率半径については、特段の制限がなく、形成しようとする表示パネルの形状によって決まる。
【００２７】
本発明において、図２に示す形態のような表示パネルを形成する以外に、更に図４に示す２個の端子部１５を含む表示パネル及び図５乃至図９に示す異なる外形を有する表示パネルを形成でき、曲がり部に前記のような円弧状の縁部或いは角丸面を形成するだけで、本発明のはみ出し及び鋸歯状の欠陥等の問題を減らすことで、切断の歩留まり率をアップすると共に切断品質を最適化する等の目的を達成できる。
【００２８】
このほかに、本発明の前記実施例で製造された表示パネルは、本技術分野でスクリーンを必要とする既知の電子機器に運用でき、例えばディスプレイ、携帯電話機、ノートパソコン、ビデオカメラ、カメラ、ミュージックプレーヤー、ポータブルナビ、テレビ、腕時計等である。
【００２９】
以上に述べた実施例は、あくまでも説明の便宜のために挙げたものであって、本発明で主張する権利範囲は特許請求の範囲で記載されるものを基準とし、上記実施例のみに限定されるものではない。
【符号の説明】
【００３０】
１１      第１基板
１１’    第１母基板
１１ａ、１１ｂ、１２ａ、１２ｂ    曲がり部
１１１    第１側辺
１１２    接触円
１１２ａ、１１２ｂ、１２２ａ、１２２ｂ    曲がり縁部
１１３    第１周縁部
１２      第２基板
１２’    第２母基板
１２２    第２周縁部
１３      シーラント
１５      端子部
Ｐ        交点
ｒ        半径
Ｓ１      切断起点
【図１】
2015215598.tif 000003
【図２】
2015215598.tif 000004
【図３】
2015215598.tif 000005
【図４】
2015215598.tif 000006
【図５】
2015215598.tif 000007
【図６】
2015215598.tif 000008
【図７】
2015215598.tif 000009
【図８】
2015215598.tif 000010
【図９】
2015215598.tif 000011